【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、
前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項２】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、
前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化が可能であるか否かを判定する磁気情報書き換えトラック初期化判定手段と、
前記磁気情報書き換えトラック初期化判定手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項３】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、
前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化が可能であるか否かを判定する磁気情報書き換えトラック初期化判定手段と、
前記磁気情報書き換えトラック初期化判定手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と、
前記磁気情報書き換えトラック初期化判定手段による当該定期券の自動改札機による磁気情報の書き換えトラックの初期化が可能であるか否かの判定結果に基づいて、初期化が不能である場合には、当該定期券の再発行処理を行う定期券再発行処理実行手段と、
前記定期券再発行処理実行手段によって再発行処理が実行された当該定期券を利用者に返却処理する第３の定期券処理手段と
を具備することを特徴とする定期券発行装置。
【請求項４】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定すると共に、その結果を表示する磁気情報書き換えトラック異常判定表示手段と、
前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項５】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定すると共に、その結果を表示する磁気情報書き換えトラック異常判定表示手段と、
前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化が可能であるか否かを判定すると共に、その判定結果を表示する磁気情報書き換えトラック初期化判定表示手段と、
前記磁気情報書き換えトラック初期化判定表示手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項６】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定すると共に、その判定結果を表示する磁気情報書き換えトラック異常判定表示手段と、
前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化が可能であるか否かを判定すると共に、その判定結果を表示する磁気情報書き換えトラック初期化判定表示手段と、
前記磁気情報書き換えトラック初期化判定表示手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と、
前記磁気情報書き換えトラック初期化判定表示手段による当該定期券の自動改札機による磁気情報の書き換えトラックの初期化が可能であるか否かの判定結果に基づいて、初期化が不能である場合には、当該定期券の再発行処理を行う定期券再発行処理実行手段と、
前記定期券再発行処理実行手段によって再発行処理が実行された当該定期券を利用者に返却処理する第３の定期券処理手段と
を具備することを特徴とする定期券発行装置。
【請求項７】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取るステップと、
前記定期券の券面情報の読み取り結果に応じて、当該定期券の自動改札機による磁気情報の書き換えトラックに異常があるか否かを判定するステップと、
前記磁気情報書き換えトラック異常判定結果に基づいて、磁気情報書き換えトラックに異常がなければ、当該定期券を利用者にそのまま返却処理するステップと、
前記磁気情報書き換えトラック異常判定結果に基づいて、磁気情報書き換えトラックに異常があつた場合には、当該定期券の自動改札機による磁気情報の書き換えトラックの初期化を実行するステップと、
前記自動改札機による磁気情報の書き換えトラックの初期化が実行された当該定期券を利用者に返却処理するステップと
を具備することを特徴とする定期券発行装置の制御方法。
【請求項８】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取るステップと、
前記定期券の券面情報の読み取り結果に応じて、当該定期券の自動改札機による磁気情報の書き換えトラックに異常があるか否かを判定するステップと、
前記磁気情報書き換えトラック異常判定結果に基づいて、磁気情報書き換えトラックに異常がなければ、当該定期券を利用者にそのまま返却処理するステップと、
前記磁気情報書き換えトラック異常判定結果に基づいて、磁気情報書き換えトラックに異常があつた場合には、当該定期券の自動改札機による磁気情報の書き換えトラックの初期化が可能であるか否かを判定するステップと、
前記定期券の自動改札機による磁気情報の書き換えトラックの初期化が可能であるか否かの判定結果に基づいて、初期化が可能である場合には、当該定期券の自動改札機による磁気情報の書き換えトラックの初期化を実行するステップと、
前記定期券の自動改札機による磁気情報の書き換えトラックの初期化が実行された当該定期券を利用者に返却処理するステップと
を具備することを特徴とする定期券発行装置の制御方法。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】